(57)【要約】【課題】凍上により隆起する地盤が法枠体に与える影響を抑制し、法枠材に働く凍上力は吸収し、かつ復元力を常時働かして法枠体の凍上による変形を防止するとともに当初の形態に復帰させ、法面の土砂崩壊を可及的に防止する。【解決手段】地盤Ａに法枠材２の先端面２Ａを対向させて配設した中心にアンカー１１を地盤Ａに埋設固定することにより立設してある。アンカー１１に設けた不動板１３は地盤Ａと法枠材２、２、・・との間に配置してある。アンカー１１の上部側１１Ｂに受圧板１６が設けてあり、受圧板１６の下面には法枠材２に対応してガイド穴１９Ａを形成した筒状ガイド体１９が設けてある。各法枠材２の先端側に嵌着した可動体２０の係合部２０Ｃがガイド穴１９Ａに嵌合して筒状ガイド体１９に上下方向に変位可能に支持されている。【選択図】  図３
2005023553.tif 000002
【特許請求の範囲】
【請求項１】
地盤上に配設する複数本の法枠材の先端面を対向させることにより形成される突き合せ空間内に位置し、下部側を前記地盤に埋設固着することにより地盤に立設するアンカーと、該アンカーに挿通した状態で前記地盤と複数本の法枠材の先端側との間に配設し、該アンカーに係止した不動板と、略中心に前記アンカーを挿通した状態で前記法枠材の上方に配設し、アンカーに係合手段を介して所定の高さに係止してある受圧板と、前記各法枠材に対応して胴面に縦長のガイド穴を有し、上端を該受圧板に固着した状態で前記突き合せ空間に遊嵌した筒状ガイド体と、前記法枠材の各々の両端側に設けられ、先端側が前記ガイド穴から挿嵌されて筒状ガイド体に上下方向に摺動可能に係合する係合部になった可動板と、該可動板と前記受圧板との間に挟装され、前記法枠材に押圧力を常時付勢する弾性体とから構成してなる凍上による法枠体の変形回復装置。
【請求項２】
前記アンカーの少なくとも上部側に雄ねじ部を刻設し、前記受圧板は該アンカーに螺合したナットにより軸方向の変位量を調整可能にしてあることを特徴とする請求項１記載の凍上による法枠体の変形回復装置。
【発明の詳細な説明】
【０００１】
【発明の属する技術分野】
本発明は、法面に設置した法枠体が地盤の凍上により部分的に浮上して変形し、終には破壊してしまうのを防止するための凍上による法枠体の変形回復装置に関する。
【０００２】
【従来の技術】
切土法面には土砂崩落を防止するためにコンクリート製の法枠材を略格子状に連結した法枠体を設置することが行われているが、切土法面を形成する地盤は、地中含水状態や土質によって寒冷地では気温の低下に伴って地表面側が凍結することにより隆起する所謂凍上現象が起き、また、気温の上昇に伴って自重により沈降する現象が起きる。このため、地盤上に設置した法枠体には押し上げる凍上力が働くことから、地盤の隆起と沈降に伴って法枠体が次第に変形して経年崩壊してしまうという問題がある。また、崩壊しないまでも、一部の法枠材が地盤から浮上した状態になって土砂の崩落を効果的に防止できないという問題も生じている。
【０００３】
そこで、凍上防止策として、例えば約３８０ｋｇ／ｍ２  の重量のある法枠材を配設する方法が採られている。この方法は凍上した地盤を法枠材の重量により復元させるもので相応の効果があるとされているが、他面、重量のある法枠材を法面の傾斜した地盤で設置する工事は危険が伴うし、効率が悪いという問題と、一旦変形した場合の補修や改修工事の費用が嵩むという問題がある。
【０００４】
このため、取り扱い易い重量に成形した法枠材を先端を突き合わせて格子状に配設し、先端面により囲繞して形成される空間の中心に鉄筋を約１ｍ地盤に埋設して立設し、この鉄筋に各法枠材に設けてある針金を係着した後該空間にコンクリートを充填することにより法枠体を構成する方法が行われている。
【０００５】
【発明が解決しようとする課題】
しかし、上述した方法は凍上対策を特に考慮して構成したものではないため、凍上力により法枠体が変形して破損することは避けられないし、破損した場合には部分的な補修や改修を行って対応しているのが現状であるが、維持費や補修費が嵩むという問題がある。
【０００６】
本発明は上述した従来技術の諸欠点に鑑みなされたもので、凍上により隆起する地盤が法枠体に与える影響を可及的に抑制し、また法枠材に働く凍上力は吸収すると共に復元力を常時働かすことにより、法枠体が凍上力により変形するのを防止するようにしたものであり、法面の土砂崩落の防止や、補修或は改修工事を少なくすることにより維持費や補修費等を節減することができる凍上による法枠体の変形回復装置を提供することを目的とする。
【０００７】
【課題を解決するための手段】
上述した課題を解決するために構成された本発明の手段は、地盤上に配設する複数本の法枠材の先端面を対向させることにより形成される突き合せ空間内に位置し、下部側を前記地盤に埋設固着することにより地盤に立設するアンカーと、該アンカーに挿通した状態で前記地盤と複数本の法枠材の先端側との間に配設し、該アンカーに係止した不動板と、略中心に前記アンカーを挿通した状態で前記法枠材の上方に配設し、アンカーに係合手段を介して所定の高さに係止してある受圧板と、前記各法枠材に対応して胴面に縦長のガイド穴を有し、上端を該受圧板に固着した状態で前記突き合せ空間に遊嵌した筒状ガイド体と、前記法枠材の各々の両端側に設けられ、先端側が前記ガイド穴から挿嵌されて筒状ガイド体に上下方向に摺動可能に係合する係合部になった可動板と、該可動板と前記受圧板との間に挟装され、前記法枠材に押圧力を常時付勢する弾性体とからなる。
【０００８】
そして、前記アンカーの少なくとも上部側に雄ねじ部を刻設し、前記受圧板は該アンカーに螺合したナットにより軸方向の変位量を調整可能にするとよい。
【０００９】
【発明の実施の形態】
以下、本発明の実施の形態について詳述する。図において、１は切土して法面に成形した地盤Ａ上に設置した法枠体で  該法枠体１は多数本のコンクリート製法枠材２、２、・・・を先端面２Ａを対向させた状態で略格子状に配設することにより構成してある。ここで、該各法枠材２は既存のもので、断面四角形の長尺の角材の両先端面２Ａ、２Ａは湾曲面に形成し、先端側の外面を略く字状に突出した膨出部２Ｂ、２Ｂに形成してあり、上面には長手方向に沿って凹溝２Ｃが形成してある。そして、４本の法枠材２、２、・・の先端面２Ａ、２Ａ、・・を対向して配設することによって、法枠体１には略円形の多数の突き合わせ空間３、３、・・・が形成されている。
【００１０】
１１は、前記突き合せ空間３内に位置して略中間から下部側１１Ａを地盤Ａに埋設し、上部側１１Ｂを地盤Ａから突出させて立設した棒鋼からなるアンカーを示す。該アンカー１１は全周面に雄ねじ部１２Ｃが刻設してあり、下部側１１Ａは地盤Ａに穿設した掘穴Ａ１  にセメントミルク１２を充填することにより、地盤Ａとセメントミルク１２の付着力によって強固に固着されている。
【００１１】
１３は一部の法枠材１に加わる部分的な凍上力Ｐを面で受承する不動板を示し、該不動板１３は略中心にアンカー１１を挿通する通し穴１３Ａを穿設した円形の鋼板からなっている。そして、不動板１３は、先端面２Ａを対向させて地盤Ａ上に十字状に配設した４本の法枠材２、２、・・の先端側と地盤Ａとの間に配設してあり、アンカー１１に螺合したナット１４により座金１５を介して地盤Ａ上に定着させてある。これにより、いずれかの法枠材２の先端側に凍上力Ｐが作用するような場合でも不動板１３の面で受承することにより、凍上力Ｐが法枠体１の全体に影響するのを抑制することができる。
【００１２】
１６は凍上力Ｐに抗して押圧するための受圧板を示す。該受圧板１６は略四角形の基板部１６Ａから四方に略四角形の張出し部１６Ｂ、１６Ｂ、・・を突出して平面略十字状に成形し、基板部１６Ａの略中心にアンカー１１を挿通する挿通穴１６Ｃを穿設した平鋼板からなっており、各張出し部１６Ｂの下面には円環状の上側ばね止め１７が固着してある。上述の構成からなる受圧板１６はアンカー１１に挿通した状態でナット１８を締めることにより所定の位置で軸方向の変位が規制されている。なお、ナット１８を正逆方向に螺回することにより、受圧板１６を所望の高さに調整することができる。
【００１３】
１９は上端を前記受圧板１６の基板部１６Ａに固着することにより突き合せ空間３に遊嵌した鋼板からなる筒状ガイド体で、該筒状ガイド体１９の胴部１９Ａには各法枠材２に対応して４個の縦長のガイド穴１９Ｂ、１９Ｂ、・・が周方向に離間して形成してある。
【００１４】
次に、２０、２０、・・は各法枠材２の先端側に嵌着することにより法枠材２と一体に挙動する可動体を示す。該各可動体２０は法枠材２に上方から嵌合する略冂状の嵌着部２０Ａと、筒状ガイド体１９のガイド穴１９Ｂに遊嵌する横幅の平板からなり、該嵌着部２０Ａに一体に形成されて法枠材２の先端面２Ａより前方に突出する連結部２０Ｂと、ガイド穴１９Ｂより幅広の湾曲状横長片からなり、該連結部２０Ｂの先端から起立する係合部２０Ｃとを鋼板を用いて一体に形成したものからなり、嵌着部２０Ａの上面には前記上側ばね止め１７に対向して下側ばね止め２１が固着してある。
【００１５】
上述の構成からなる可動体２０は、係合部２０Ｃをガイド穴１９Ｂから筒状ガイド体１９内に嵌入し、筒状ガイド体１９の内面に沿って上下方向に摺動可能な状態に係合させてある。また、法枠材２の先端側は膨出部２Ｂ、２Ｂになっているから、法枠材２に嵌合した嵌着部２０Ａは法枠材２が横ずれして横方向の引っ張り力が作用しても法枠材２から抜け外れることがなく一体に挙動することができる。
【００１６】
２２、２２、・・は受圧板１６と各可動板２０との間に挟装した圧縮ばねからなる押圧ばねを示し、該各押圧ばね２２は防食のために樹脂コーティングを施してある。そして、各押圧ばね２２は、上下の両端側を上側ばね止め１７と下側ばね止め２１に嵌合して張設することにより、ばね力Ｆを可動板２０に常時付勢している。
【００１７】
本実施の形態に係る凍上による法枠体の変形回復装置は上述の構成からなるが、先ず該装置を設置する施工手順について説明する。切土して成形した法面の地盤Ａ上に、設置する法枠体１の各法枠材２を格子状をなすように所定の位置に配置する。次に、各法枠材２の対向した先端面２Ａ、２Ａ、・・により形成される突き合わせ空間３の位置決めを行い、地盤Ａを掘削して掘穴Ａ１  を形成する。そして、該掘穴Ａ１  の中心に支柱１１の下部側１１Ａを挿入し、周囲にセメントミルク１２を充填して支柱１１を地盤Ａに対して強固に固着させる。なお、アンカー１１は、外周面に刻設してある雄ねじ部１１Ｃにセメントミルク１２が密着することにより、強い引き抜き耐力を有することができる。
【００１８】
次に、アンカー１１を中心にして法枠材２を先端面２Ａを対向させた状態で略十字状に配置し、地盤Ａから上方に突出するアンカー１１の上部側１１Ｂに受圧板１６を嵌装し、筒状ガイド体１９を突き合わせ空間３に挿嵌する。そして、筒状ガイド体１９の各ガイド穴１９Ｂに可動板２０の係合部２０Ｃを嵌入して係合させ、嵌着部２０Ａを法枠材２の膨出部２Ａの手前の位置に上方から嵌合する。しかる後、可動板２０と受圧板１６との間に押圧ばね２２、２２、・・を挟装し、アンカー１１にナット１７を螺回して受圧板１６を下降させることにより可動板２０を介して法枠材２に押圧ばね２２のばね力Ｆを所望の力で作用させた状態にする。
【００１９】
上述の如くして地盤Ａ上に設置した凍上による法枠体の変形回復装置によって、地盤Ａの凍上により法枠体１が変形するのを防止する作用について説明する。外気温が低下して地盤Ａの表面側が凍結すると、地盤Ａが隆起する凍上力Ｐによって法枠材２及び受圧板１３を押し上げるが、受圧板１３をナット１４を介して地盤Ａに圧接しているアンカー１１は、下部側１１Ａがセメントミルク１３を介して地盤Ａに固着することにより引張り耐力Ｔｐａが作用しているから、受圧板１３の浮上を可及的に抑制することができる。
【００２０】
また、法枠材２の各々は互いに固定した状態にはなく、可動体２０を介して筒状ガイド体１９に独立して上下方向に変位可能に係合させてあるから、地盤Ａの状態によって各法枠材２が上下方向或は横方向に異なる変位量で変動しても他の法枠材２への応力伝達は殆どなく、法枠体１の全体が変形してしまうのを防止することができる。
【００２１】
更に、地盤Ａに下部側１１Ａを埋設固定して引っ張り耐力Ｔｐａを作用させることにより強固に立設したアンカー１１に受圧板１６を設け、法枠材２に嵌着した可動体２０との間に押圧ばね２２を挟装することにより、押圧ばね２２は法枠材２に作用する凍上力Ｐを吸収し、かつ法枠材２に対して押圧力Ｆを常時付勢しているから浮上する法枠材２を当初の状態に復帰させることができ、凍上による法枠体１の変形を回復することができる。
【００２２】
なお、実施の形態ではコイルばねからなる押圧ばね２２を弾性体として用いたが、弾性力と耐低温性のあるゴムや軟質合成樹脂を柱状に成形したものを用いてもよい。
【００２３】
【発明の効果】
本発明は以上詳述した如く構成したから、下記の諸効果を奏する。
（１）地盤に埋設固着したアンカーに係止した不動板により地盤の凍上を可及的に抑制して法枠材への影響を極力小さくし、更に法枠材を浮上させる凍上力はアンカーに係止した受圧板と法枠材との間に挟装した押圧ばねにより吸収すると共に、復元力を働かすようにしたから、凍上力による法枠体の変形や崩壊を可及的に防止することができる。
（２）法枠材の各々は可動体を介して筒状ガイド体に上下方向に変位可能に係合した構成にしたから、凍上力を受けた法枠材のみが筒状ガイド体に支持された状態で上下方向に変位するが、横ずれは防止するようにしたから、法枠体が変形して破損してしまうのを防止することができる。
（３）凍上力により浮上した法枠材は押圧ばねにより復元する方向に付勢してあるから、気温の上昇により凍上力が消滅した場合には法枠体を当初の位置に復帰させて法枠体を本来の形態に回復させることができる。
（４）本発明の凍上による法枠体の変形回復装置は、個々の法枠材自体は変位、変動しながらも法枠体当初の形態に復帰する構成にしたから、一旦変位、変形すると元の形態にも戻ることのできない従来技術の法枠体と比較して、設置年数を各段に延長することができる。
（５）法枠体が凍上により変形する事態を抑制できるから、法面の土砂崩落を防止することができるし、補修或は改修工事を少なくすることができることから管理費・維持費を節減することができる。
（６）本発明の凍上による法枠体の変形回復装置は、法枠材に可動体を嵌着可能であれば既存の法枠体に組み込んで使用できるから、法面の土砂崩落防止工事に要する費用を大幅に削減することができる。
（７）アンカーの少なくとも上部側に雄ねじ部を刻設し、受圧板は該アンカーに螺合したナットにより軸方向に変位可能にして押圧ばねのばね力を調整するようにしたから、地盤の地質により異なる凍上力に応じたばね力に設定することが可能であり、法枠体の変形を効果的に防止することができる。
【図面の簡単な説明】
【図１】本発明の実施の形態に係る凍上による法枠体の変形回復装置を法枠体に組み込んだ平面図である。
【図２】法枠材の斜視図である。
【図３】図１中のＩＩＩ−ＩＩＩ矢示方向拡大断面図である。
【図４】図１中のＩＶ−ＩＶ矢示方向拡大断面図である。
【図５】筒状ガイド体と可動板の係合状態を示す要部斜視図である。
【図６】地盤の凍上力とこれに対する凍上による法枠体の変形回復装置の作用を示す説明図である。
【符号の説明】
１        法枠体
２        法枠材
２Ａ      先端面
３        突き合わせ空間
１１      アンカー
１１Ｃ    雄ねじ部
１３      不動板
１６      受圧板
１８      ナット
１９      筒状ガイド体
１９Ｂ    ガイド穴
２０      可動板
２０Ｃ    係合部
２２      押圧ばね
Ａ        地盤
【図１】
2005023553.tif 000003
【図２】
2005023553.tif 000004
【図３】
2005023553.tif 000005
【図４】
2005023553.tif 000006
【図５】
2005023553.tif 000007
【図６】
2005023553.tif 000008